(57)【要約】      （修正有）【課題】一まとめにされた複数枚の紙片の角部を折り畳むことによって形成される折り畳み部を挟んだ状態から外れにくく、且つ、コスト上も有利なクリップを提供する。【解決手段】一まとめにされた複数枚の紙片５の角部を折り畳むことによって形成される折り畳み部６ａの谷間７に挿入される挿入片２と、前記谷間７の表側の紙片８に当接する表側挟着片３と、前記谷間７の裏側の紙片９に当接する裏側挟着片４と、を備え、前記表側挟着片３と前記裏側挟着片４のそれぞれと前記挿入片２とで前記谷間の表側の紙片８と裏側の紙片９のそれぞれが挟持され、且つ、前記表側挟着片３と前記裏側挟着片４とで前記谷間７の表裏両側の紙片８，９が挟持されるように、前記挿入片２と前記表側挟着片３と前記裏側挟着片４とが弾性的に一体に形成される。【選択図】図３
2020032543.tif 000002
【特許請求の範囲】
【請求項１】
一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、前記挿入片と前記表側挟着片と前記裏側挟着片とが弾性的に一体に形成されることを特徴とする、クリップ。
【請求項２】
渦巻状に成形されることで前記挿入片と前記表側挟着片と前記裏側挟着片とが弾性的に一体に形成されることを特徴とする、請求項１に記載のクリップ。
【請求項３】
前記裏側挟着片と前記挿入片との間に紙片が挿入されることによって相互に圧接する交差部と、前記表側挟着片と前記挿入片との間に紙片が挿入されることによって相互に圧接する交差部との、少なくともいずれかが含まれていることを特徴とする、請求項２に記載のクリップ。
【請求項４】
基端部と、該基端部から延びる三本のクリップ片と、を備え、該三本のクリップ片によって前記挿入片と前記表側挟着片と前記裏側挟着片とが構成されることを特徴とする、請求項１に記載のクリップ。
【発明の詳細な説明】
【技術分野】
【０００１】
本発明は、複数枚の紙片を一まとめにしてその角部を折り畳んで折り畳み部を形成し、この折り畳み部を挟んで止めるクリップに関するものである。
【背景技術】
【０００２】
複数枚の紙片を挟んで止めるクリップの一例として、針金を細長い渦巻状に曲げて作った、ゼムクリップと称されるクリップが知られている。このクリップは構成が簡単なために安価であるが、僅かな外力によりクリップ自体又は一部の紙片が動いたり抜け落ちたりし易いという欠点がある。
【０００３】
そこで、このような欠点を除去できるクリップとして、特許文献１により、次のクリップが提案された。このクリップは、挿入片の一片に表側挟着片を折り曲げ可能に連設すると共に、表側挟着片の一片に裏側挟着片を折り曲げ可能に連設し、挿入片と裏側挟着片に磁性吸着体を装着したクリップである。このクリップによれば、各紙片のコーナーをクリップ内に挿し込み、閉じ込んだ状態で挟持できるので、各紙片が不測に妄動抜脱するおそれがない等の利点があるとされている。
【先行技術文献】
【特許文献】
【０００４】
【特許文献１】実開昭５６−１６３５６５号公報
【発明の概要】
【発明が解決しようとする課題】
【０００５】
しかしながら、特許文献１に記載のクリップによれば、挿入片と裏側挟着片との間は磁性吸着体により紙片の挟持力が発揮されるものの、挿入片と表側挟着片との間及び表側挟着片と裏側挟着片との間には特別に紙片の挟持力が付与される構成ではないので、全体としての挟持力が弱く、やはりクリップが外れやすいという問題がある。また、特許文献１に記載のクリップは、挿入片と表側挟着片と裏側挟着片とを折り曲げ可能に連設する点でコスト高とならざるを得ず、磁性吸着体を用いる点でもコスト高とならざるを得ない。
【０００６】
本発明は、前記のような事情に鑑みてなされたもので、一まとめにされた複数枚の紙片の角部を折り畳むことによって形成される折り畳み部を挟んだ状態から外れにくく、且つ、コスト上も有利なクリップを提供しようとするものである。
【課題を解決するための手段】
【０００７】
前記課題を解決するため、請求項１の本発明に係るクリップは、一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、前記挿入片と前記表側挟着片と前記裏側挟着片とが弾性的に一体に形成されることを特徴とする。
【０００８】
請求項２の本発明に係るクリップは、請求項１のものにおいて、渦巻状に成形されることで前記挿入片と前記表側挟着片と前記裏側挟着片とが弾性的に一体に形成されることを特徴とする。
【０００９】
請求項３の本発明に係るクリップは、請求項２のものにおいて、前記裏側挟着片と前記挿入片との間に紙片が挿入されることによって相互に圧接する交差部と、前記表側挟着片と前記挿入片との間に紙片が挿入されることによって相互に圧接する交差部との、少なくともいずれかが含まれていることを特徴とする。
【００１０】
請求項４の本発明に係るクリップは、請求項１のものにおいて、基端部と、該基端部から延びる三本のクリップ片と、を備え、該三本のクリップ片によって前記挿入片と前記表側挟着片と前記裏側挟着片とが構成されることを特徴とする。
【発明の効果】
【００１１】
請求項１の本発明によれば、表側挟着片と裏側挟着片のそれぞれと挿入片とで谷間の表側の紙片と裏側の紙片のそれぞれが挟持され、且つ、表側挟着片と裏側挟着片とで谷間の表裏両側の紙片が挟持されるので、全体としての挟持力が強く、外れにくい。また、挿入片が谷間に入り込んでいるので、紙片に作用する引張力への耐性が大きい。このため、クリップ製造に際し、低強度材料の使用や薄厚化が可能である。さらに、挿入片と表側挟着片と裏側挟着片とが弾性的に一体に形成されることで挟持力が創出されるので、コスト低減に資するものとなる。さらにまた、クリップの弾性を利用して着脱を行うので、着脱作業が容易である。
【００１２】
請求項２の本発明によれば、簡易な構成でクリップが形成されるので、一層のコスト低減に資するものとなる。
【００１３】
請求項３の本発明によれば、紙片が挿入されることで交差部が相互に圧接するので、クリップの挟持力が増大する。このため、一層外れにくいクリップとなる。また、交差部を設けるという簡易な構成で挟持力の増大が達成されるので、合理的である。
【００１４】
請求項４の本発明によれば、構成が簡易であるので、一層のコスト低減に資するものとなる。
【図面の簡単な説明】
【００１５】
【図１】本発明の実施の一形態に係るクリップの平面図である。
【図２】図１のクリップの使用状態図である。
【図３】図２のＩＩＩ矢視図である。
【図４】図１のクリップで複数枚の紙片を止める過程（ａ）（ｂ）を示す説明図である。
【図５】図１のクリップの変形例の平面図である。
【図６】図１、図５のクリップの変形例の平面図である。
【図７】本発明の他の実施の形態に係るクリップの斜視図であり、（ａ）は図６のクリップの変形例、（ｂ）は図１のクリップの変形例、（ｃ）は図５のクリップの変形例である。
【図８】本発明の他の実施の形態に係るクリップの平面図である。
【図９】図８のクリップの使用状態図である。
【図１０】図９のＸ−Ｘ矢視拡大端面図である。
【図１１】図１０の変形例の断面図である。
【図１２】図９、図１０の変形例の断面図である。
【発明を実施するための形態】
【００１６】
以下、添付図面を参照して、本発明の実施の形態について説明する。
【００１７】
図１に示すように、本発明の実施の一形態に係るクリップ１は、挿入片２と、表側挟着片３と、裏側挟着片４と、を備え、これらが弾性的に一体に形成される。そして、図２及び図３に示すように、一まとめにされた複数枚の紙片５の角部６を折り畳むことによって形成される折り畳み部６ａの谷間７に挿入片２が挿入され、この挿入状態において、表側挟着片３と裏側挟着片４のそれぞれが谷間７の表側の紙片８と裏側の紙片９のそれぞれに当接する。クリップ１の弾性により、表側挟着片３と裏側挟着片４のそれぞれと挿入片２とで谷間７の表側の紙片８と裏側の紙片９のそれぞれが挟持され、且つ、表側挟着片３と裏側挟着片４とで谷間７の表裏両側の紙片８，９が挟持される。
【００１８】
図１のクリップ１は、図４に示す手順で、一まとめにされた複数枚の紙片５に取り付ける。まず、図４（ａ）に示すように、複数枚の紙片５の角部６を紙片５の表側に折り畳んで略二等辺三角形状の折り畳み部６ａを形成する。そして、図４（ａ）（ｂ）に示すように、折り畳み部６ａの谷間７に沿って矢印方向へとクリップ１をスライドさせる。この時、折り畳み部６ａの谷間７の裏側の紙片９に当接させて裏側挟着片４をスライドさせるとともに、谷間７に挿入片２を挿入し、且つ、谷間７の表側の紙片８に当接させて表側挟着片３をスライドさせる。クリップ１の取付完了状態は、図２及び図３に示す通りである。クリップ１の取付状態において、挿入片２は谷間７の最深部に位置する。クリップ１の抜き取り時には、取り付け時とは逆方向にクリップ１をスライドさせればよい。
【００１９】
図１のクリップ１によれば、表側挟着片３と裏側挟着片４のそれぞれと挿入片２とで谷間７の表側の紙片８と裏側の紙片９のそれぞれが挟持され、且つ、表側挟着片３と裏側挟着片４とで谷間７の表裏両側の紙片８，９が挟持されるので、全体としての挟持力が強く、外れにくい。また、挿入片２が折り畳み部６ａの谷間７に入り込んでいるので、紙片に作用する引張力への耐性が大きい。このため、クリップ製造に際し、低強度材料の使用や薄厚化が可能である。さらに、挿入片２と表側挟着片３と裏側挟着片４とが弾性的に一体に形成されることで挟持力が創出されるので、コスト低減に資するものとなる。さらにまた、クリップ１の弾性を利用して着脱を行うので、着脱作業が容易である。
【００２０】
図１のクリップ１は、渦巻状に形成することで挿入片２と表側挟着片３と裏側挟着片４とが弾性的に一体に形成されている。簡易な構成でクリップ１が形成されるので、一層のコスト低減に資するものとなる。なお、図１のクリップ１の全体形状をより細身に形成することにより、折り畳み部６ａの折りしろをより小さくすることができる。
【００２１】
図１に示すように、裏側挟着片４と挿入片２との間に紙片が挿入されることによって相互に圧接する第一の交差部１０を含む構成とすると好適である。また、図５に示すクリップ１００のように、図１と同様の第一の交差部１０に加えて、表側挟着片３と挿入片２との間に紙片が挿入されることによって相互に圧接する第二の交差部１１を含む構成とすると好適である。これらの交差部１０，ｌ１の少なくともいずれかを設けると、紙片が挿入されることで交差部１０，１１が相互に圧接するので、クリップ１，１００の挟持力が増大する。このため、一層外れにくいクリップとなる。また、交差部１０，１１を設けるという簡易な構成で挟持力の増大が達成されるので、合理的である。
【００２２】
図６に示すように、交差部のない渦巻状のクリップ２００とすることも勿論可能である。この場合、構成が一層簡易であるので、クリップの製造が一層容易であり、コストも抑制できる。但し、挟持力の点では、図１及び図５の例に優位性がある。
【００２３】
図１、図５、図６の渦巻状のクリップ１，１００，２００は、弾性を有する断面円形の一本の金属線材を渦巻状に曲げることで作製できる。金属線材としては、特にステンレス鋼製の線材を用いると好適である。この作製方法によれば、簡単に作製できるので、コスト低減に貢献できる。他の作製方法として、射出成型等の適宜の成型法を採用することもできる。この場合、クリップ１，１００，２００の成型材料としては、金属のほか、プラスチック、紙などを使用することもできる。紙を使用した成型は、例えば、原料パルプに水溶性結合剤と水とを混合した成型材料を用いて行うことができる。紙を使用してクリップを作製すれば、書類と一緒にシュレッダーにかけることができるので、廃棄が容易となり好適である。
【００２４】
また、他の形状のクリップとして、図７に示すように、角張った折れ曲がり部を有するクリップ３００とすることもできる。図７（ａ）は、図６の例に対応するもので、交差部のないクリップ３００の例である。図７（ａ）のクリップ３００は、弾性を有する金属製、プラスチック製又は紙製の板材を打ち抜き加工して作製することができる。また、図７（ｂ）のクリップ４００は、第一の交差部１０を有する図１の例に対応するものであり、図７（ｃ）のクリップ５００は、第一及び第二の交差部１０，１１を有する図５の例に対応するものである。図７（ａ）（ｂ）（ｃ）のクリップ３００，４００，５００も、成型材料として金属、プラスチック、紙などを使用し、金型を用いて射出成型等の適宜の成型法で作製することができる。また、複数の細長い線材又は板材を接着、溶着、溶接等の方法で連結してクリップを作製することもできる。
【００２５】
次に、図８〜図１２を参照して、本発明の他の実施の形態に係るクリップを説明する。
【００２６】
図８のクリップ６００は、基端部１２と、この基端部１２から延びる三本のクリップ片１３，１４，１５と、を備え、これら三本のクリップ片１３，１４，１５によって挿入片２と表側挟着片３と裏側挟着片４とが構成される。挿入片２と表側挟着片３と裏側挟着片４の作用は、図１のものと同じである。図８のクリップ６００も図１のクリップ１と同様の作用効果を奏する。
【００２７】
図８のクリップ６００は構成が簡易であるので、一層のコスト低減に資するものとなる。なお、図８のクリップ６００も、前記のものと同様に、金属、プラスチック、紙などを用いて、打ち抜きや適宜の成型方法によって作製することができる。
【００２８】
図８のクリップ６００は、三本のクリップ片１３，１４，１５の配設順序が、図９及び図１０の使用状態において折り畳み部６ａの谷間７の奥側から順に、挿入片２、表側挟着片３、裏側挟着片４の順となっており、裏側挟着片４が最も長く形成されている。他の実施の形態として、表側挟着片３と裏側挟着片４の順序を逆にすることも可能である。三本のクリップ片１３，１４，１５の間隔をより大きくして作製することで、挟める紙片の枚数を増やすことができる。
【００２９】
図１０の別例として、図１１に示すクリップ７００を採用することもできる。図１１に示すクリップ７００は、図１０のものにおいて、挿入片２に対する表側挟着片３と裏側挟着片４との位置を変更したものに相当する。表側挟着片３と裏側挟着片４とが上下に重なる位置にあり、これら二つの挟着片３，４の真横に挿入片２が位置する。図１１の使用状態において、折り畳み部６ａの谷間７の最深部に挿入片２が挿入され、表側挟着片３と裏側挟着片４のそれぞれが谷間７の表側の紙片８と裏側の紙片９のそれぞれに圧接する。挿入片２と両挟着片３，４との間の隙間や挟着片３，４間の隙間が広狭様々なクリップを提供することにより、紙片の枚数の多少に対応できる。
【００３０】
なお、図１２のクリップ８００のように、挿入片２と表側挟着片３と裏側挟着片４とが上下に重なる位置で複数枚の紙片５の折り畳み部６ａを挟持する構成とすることもできる。この構成にすれば、折り畳み部６ａを可及的に狭小化できるので、留められた紙片５のページを捲る際にクリップ８００が邪魔になりにくく、好適である。
【００３１】
本発明に係るクリップは、従来のゼムクリップに比べて、ページを捲る際に紙片が外れにくい。また、従来のダブルクリップや目玉クリップのような嵩張りがなく、着脱も容易である。さらに、弾性による挟持力だけでなく、挿入片２が紙片の折り畳み部６ａの谷間７の最深部に当接することで紙片が抜け落ち不能に保持されるので、低強度材料の使用や薄厚化が可能である。よって、例えば、ファイバー紙製やナノセルロースファイバー紙製等の、天然繊維素を原料とした環境負荷の少ないクリップを提供することができる。
【符号の説明】
【００３２】
２    挿入片
３    表側挟着片
４    裏側挟着片
５    一まとめにされた複数枚の紙片
６    角部
６ａ  折り畳み部
７    谷間
８    谷間の表側の紙片
９    谷間の裏側の紙片
１０，１１  交差部
１２  基端部
１３，１４，１５  クリップ片
【図１】
2020032543.tif 000003
【図２】
2020032543.tif 000004
【図３】
2020032543.tif 000005
【図４】
2020032543.tif 000006
【図５】
2020032543.tif 000007
【図６】
2020032543.tif 000008
【図７】
2020032543.tif 000009
【図８】
2020032543.tif 000010
【図９】
2020032543.tif 000011
【図１０】
2020032543.tif 000012
【図１１】
2020032543.tif 000013
【図１２】
2020032543.tif 000014
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、渦巻状に成形されることで前記挿入片と前記表側挟着片と前記裏側挟着片とが弾性的に一体に形成され、さらに、前記裏側挟着片と前記挿入片との間に紙片が挿入されることによって相互に圧接する交差部と、前記表側挟着片と前記挿入片との間に紙片が挿入されることによって相互に圧接する交差部との、少なくともいずれかが含まれていることを特徴とする、クリップ。
【請求項２】
一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、前記挿入片と前記表側挟着片と前記裏側挟着片とが弾性的に一体に形成されるクリップであって、基端部と、該基端部から延びてそれぞれが先端部を有する三本のクリップ片と、を備え、該三本のクリップ片によって前記挿入片と前記表側挟着片と前記裏側挟着片とが構成されることを特徴とする、クリップ。
【請求項３】
挿入片と表側挟着片と裏側挟着片とが弾性的に一体に形成されるクリップを用いて、一まとめにされた複数枚の紙片を綴じる綴じ方法であって、前記一まとめにされた複数枚の紙片の角部を折り畳むことによって形成される折り畳み部の谷間に前記挿入片を挿入するとともに、前記谷間の表側の紙片に前記表側挟着片を当接させ、且つ、前記谷間の裏側の紙片に前記裏側挟着片を当接させることにより、前記表側挟着片と前記裏側挟着片のそれぞれと前記挿入片とで前記谷間の表側の紙片と裏側の紙片のそれぞれを挟持させ、且つ、前記表側挟着片と前記裏側挟着片とで前記谷間の表裏両側の紙片を挟持させることを特徴とする、綴じ方法。
【手続補正３】
【補正対象書類名】明細書
【補正対象項目名】０００１
【補正方法】変更
【補正の内容】
【０００１】
本発明は、複数枚の紙片を一まとめにしてその角部を折り畳んで折り畳み部を形成し、この折り畳み部を挟んで止めるクリップと、クリップによる綴じ方法に関するものである。
【手続補正４】
【補正対象書類名】明細書
【補正対象項目名】０００６
【補正方法】変更
【補正の内容】
【０００６】
本発明は、前記のような事情に鑑みてなされたもので、一まとめにされた複数枚の紙片の角部を折り畳むことによって形成される折り畳み部を挟んだ状態から外れにくく、且つ、コスト上も有利なクリップと綴じ方法とを提供しようとするものである。
【手続補正５】
【補正対象書類名】明細書
【補正対象項目名】０００７
【補正方法】変更
【補正の内容】
【０００７】
前記課題を解決するため、請求項１の本発明に係るクリップは、一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、渦巻状に成形されることで前記挿入片と前記表側挟着片と前記裏側挟着片とが弾性的に一体に形成され、さらに、前記裏側挟着片と前記挿入片との間に紙片が挿入されることによって相互に圧接する交差部と、前記表側挟着片と前記挿入片との間に紙片が挿入されることによって相互に圧接する交差部との、少なくともいずれかが含まれていることを特徴とする。
【手続補正６】
【補正対象書類名】明細書
【補正対象項目名】０００８
【補正方法】変更
【補正の内容】
【０００８】
請求項２の本発明に係るクリップは、一まとめにされた複数枚の紙片の角部を折り畳むことによって形成される折り畳み部の谷間に挿入される挿入片と、前記谷間の表側の紙片に当接する表側挟着片と、前記谷間の裏側の紙片に当接する裏側挟着片と、を備え、前記表側挟着片と前記裏側挟着片のそれぞれと前記挿入片とで前記谷間の表側の紙片と裏側の紙片のそれぞれが挟持され、且つ、前記表側挟着片と前記裏側挟着片とで前記谷間の表裏両側の紙片が挟持されるように、前記挿入片と前記表側挟着片と前記裏側挟着片とが弾性的に一体に形成されるクリップであって、基端部と、該基端部から延びてそれぞれが先端部を有する三本のクリップ片と、を備え、該三本のクリップ片によって前記挿入片と前記表側挟着片と前記裏側挟着片とが構成されることを特徴とする。
【手続補正７】
【補正対象書類名】明細書
【補正対象項目名】０００９
【補正方法】変更
【補正の内容】
【０００９】
請求項３の本発明に係る綴じ方法は、挿入片と表側挟着片と裏側挟着片とが弾性的に一体に形成されるクリップを用いて、一まとめにされた複数枚の紙片を綴じる綴じ方法であって、前記一まとめにされた複数枚の紙片の角部を折り畳むことによって形成される折り畳み部の谷間に前記挿入片を挿入するとともに、前記谷間の表側の紙片に前記表側挟着片を当接させ、且つ、前記谷間の裏側の紙片に前記裏側挟着片を当接させることにより、前記表側挟着片と前記裏側挟着片のそれぞれと前記挿入片とで前記谷間の表側の紙片と裏側の紙片のそれぞれを挟持させ、且つ、前記表側挟着片と前記裏側挟着片とで前記谷間の表裏両側の紙片を挟持させることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
請求項１の本発明によれば、表側挟着片と裏側挟着片のそれぞれと挿入片とで谷間の表側の紙片と裏側の紙片のそれぞれが挟持され、且つ、表側挟着片と裏側挟着片とで谷間の表裏両側の紙片が挟持されるので、全体としての挟持力が強く、外れにくい。また、挿入片が谷間に入り込んでいるので、紙片に作用する引張力への耐性が大きい。このため、クリップ製造に際し、低強度材料の使用や薄厚化が可能である。さらに、挿入片と表側挟着片と裏側挟着片とが弾性的に一体に形成されることで挟持力が創出されるので、コスト低減に資するものとなる。さらにまた、クリップの弾性を利用して着脱を行うので、着脱作業が容易である。簡易な構成でクリップが形成されるので、コスト低減にも資する。加えて、紙片が挿入されることで交差部が相互に圧接するので、クリップの挟持力が増大する。このため、一層外れにくく、紙片が抜けにくいクリップとなる。また、交差部を設けるという簡易な構成で挟持力の増大が達成されるので、合理的である。
【手続補正１０】
【補正対象書類名】明細書
【補正対象項目名】００１２
【補正方法】変更
【補正の内容】
【００１２】
請求項２の本発明によれば、構成が簡易であるので、一層のコスト低減に資するものとなる。
【手続補正１１】
【補正対象書類名】明細書
【補正対象項目名】００１３
【補正方法】変更
【補正の内容】
【００１３】
請求項３の本発明によれば、表側挟着片と裏側挟着片のそれぞれと挿入片とで谷間の表側の紙片と裏側の紙片のそれぞれが挟持され、且つ、表側挟着片と裏側挟着片とで谷間の表裏両側の紙片が挟持されるので、全体としての挟持力が強く、外れにくい。また、挿入片が谷間に入り込んでいるので、紙片に作用する引張力への耐性が大きい。
【手続補正１２】
【補正対象書類名】明細書
【補正対象項目名】００１４
【補正方法】削除
【補正の内容】
【手続補正１３】
【補正対象書類名】明細書
【補正対象項目名】００２６
【補正方法】変更
【補正の内容】
【００２６】
図８のクリップ６００は、基端部１２と、この基端部１２から延びてそれぞれが先端部を有する三本のクリップ片１３，１４，１５と、を備え、これら三本のクリップ片１３，１４，１５によって挿入片２と表側挟着片３と裏側挟着片４とが構成される。挿入片２と表側挟着片３と裏側挟着片４の作用は、図１のものと同じである。図８のクリップ６００も図１のクリップ１と同様の作用効果を奏する。